【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
ＯＣＴ光源からの光を測定光路と参照光路に分割する光分割手段と、前記測定光路を介して被検眼眼底上に照射される測定光を走査する光走査手段と、前記測定光路からの前記測定光による眼底反射光と、前記参照光路からの光と、が合成された光を検出するための光検出器と、を備える干渉光学系と、
前記光走査手段を制御して前記測定光を走査し、前記光検出器からの出力信号に基づく前記被検眼眼底の断層画像と、前記被検眼眼底の正面観察画像である第１の正面画像を取得するＯＣＴ画像取得手段と、
被検眼眼底上の二次元領域を照明光により同時に照明するための眼底照明光学系と、
前記照明光により照明された被検眼眼底の正面画像を二次元撮像素子によって撮影するための眼底撮影光学系と、
表示部の表示を制御する表示制御手段であって、前記ＯＣＴ画像取得手段によって取得された第１の正面画像と、前記二次元撮像素子からの撮像信号に基づく前記被検眼眼底の正面観察画像である第２の正面画像と、を異なる表示領域に同時に表示することを特徴とする表示制御手段と、
を備えることを特徴とする眼底撮影装置。
【請求項２】
前記表示制御手段は、
前記干渉光学系を用いた画像取得に関連する表示が統合された第１の表示領域と、
前記眼底照明光学系及び前記眼底撮影光学系を用いた画像取得に関連する表示が統合された第２の表示領域と、
を区分して表示することを特徴とする請求項１の眼底撮影装置。
【請求項３】
前記表示制御手段は、前記二次元撮像素子からの撮像信号に基づく指標を前記第２の正面画像上に表示する一方、
前記第１の正面画像上に、表示部に表示される前記断層画像の測定位置を示す走査ラインを電子的に表示することを特徴とする請求項１〜２のいずれかの眼底撮影装置。
【請求項４】
さらに、被検眼の前眼部像を観察するための前眼部観察光学系を備え、
前眼部観察光学系によって取得された前眼部像と、前記断層画像と、第１の正面画像と、第２の正面画像と、を同時に表示することを特徴とする請求項１〜３のいずれかの眼底撮影装置。
【請求項５】
ＯＣＴ光源からの光を測定光路と参照光路に分割する光分割手段と、前記測定光路を介して被検眼眼底上に照射される測定光を走査する光走査手段と、前記測定光路からの前記測定光による眼底反射光と、前記参照光路からの光と、が合成された光を検出するための光検出器と、を有する干渉光学系と、
前記光走査手段を制御して前記測定光を走査し、前記光検出器からの出力信号に基づく前記被検眼眼底の断層画像を少なくとも取得するＯＣＴ画像取得手段と、
被検眼眼底上の二次元領域を照明光により同時に照明するための眼底照明光学系と、
前記照明光により照明された被検眼眼底の正面画像を二次元撮像素子によって撮影するための眼底撮影光学系と、
被検眼に指標を投影するための指標投影光学系と、
表示部の表示を制御する表示制御手段であって、
前記光検出器からの出力信号あるいは前記二次元撮像素子からの撮像信号に基づいて、表示部に表示される前記断層画像の測定位置を示す走査ラインを含む前記被検眼眼底の第１の正面観察画像を表示する一方、
前記二次元撮像素子からの撮像信号に基づいて、前記二次元撮像素子からの撮像信号に基づく指標を含む前記被検眼眼底の第２の正面観察画像を表示し、
前記第１の正面観察画像と、前記第２の正面画像とを異なる表示領域に同時に表示することを特徴とする眼底撮影装置。
【請求項６】
ＯＣＴ光源からの光を測定光路と参照光路に分割する光分割手段と、前記測定光路を介して被検眼眼底上に照射される測定光を走査する光走査手段と、前記測定光路からの前記測定光による眼底反射光と、前記参照光路からの光と、が合成された光を検出するための光検出器と、を備える干渉光学系と、
前記光走査手段を制御して前記測定光を走査し、前記光検出器からの出力信号に基づく前記被検眼眼底の断層画像と、前記被検眼眼底の正面観察画像である第１の正面画像を取得するＯＣＴ画像取得手段と、
被検眼眼底上を照明光により照明するための眼底照明光学系と、
前記照明光により照明された被検眼眼底の正面画像を受光素子によって撮影するための眼底撮影光学系と、
表示部の表示を制御する表示制御手段であって、前記第ＯＣＴ画像取得手段によって取得された第１の正面画像と、前記受光素子からの受光信号に基づく前記被検眼眼底の正面観察画像である第２の正面画像と、を異なる表示領域に同時に表示することを特徴とする表示制御手段と、
を備えることを特徴とする眼底撮影装置。
【手続補正２】
【補正対象書類名】明細書
【補正対象項目名】０００８
【補正方法】変更
【補正の内容】
【０００８】
（１）  ＯＣＴ光源からの光を測定光路と参照光路に分割する光分割手段と、前記測定光路を介して被検眼眼底上に照射される測定光を走査する光走査手段と、前記測定光路からの前記測定光による眼底反射光と、前記参照光路からの光と、が合成された光を検出するための光検出器と、を備える干渉光学系と、
前記光走査手段を制御して前記測定光を走査し、前記光検出器からの出力信号に基づく前記被検眼眼底の断層画像と、前記被検眼眼底の正面観察画像である第１の正面画像を取得するＯＣＴ画像取得手段と、
被検眼眼底上の二次元領域を照明光により同時に照明するための眼底照明光学系と、
前記照明光により照明された被検眼眼底の正面画像を二次元撮像素子によって撮影するための眼底撮影光学系と、
表示部の表示を制御する表示制御手段であって、前記ＯＣＴ画像取得手段によって取得された第１の正面画像と、前記二次元撮像素子からの撮像信号に基づく前記被検眼眼底の正面観察画像である第２の正面画像と、を異なる表示領域に同時に表示することを特徴とする表示制御手段と、を備えることを特徴とする。
（２）  ＯＣＴ光源からの光を測定光路と参照光路に分割する光分割手段と、前記測定光路を介して被検眼眼底上に照射される測定光を走査する光走査手段と、前記測定光路からの前記測定光による眼底反射光と、前記参照光路からの光と、が合成された光を検出するための光検出器と、を有する干渉光学系と、
前記光走査手段を制御して前記測定光を走査し、前記光検出器からの出力信号に基づく前記被検眼眼底の断層画像を少なくとも取得するＯＣＴ画像取得手段と、
被検眼眼底上の二次元領域を照明光により同時に照明するための眼底照明光学系と、
前記照明光により照明された被検眼眼底の正面画像を二次元撮像素子によって撮影するための眼底撮影光学系と、
被検眼に指標を投影するための指標投影光学系と、
表示部の表示を制御する表示制御手段であって、
前記光検出器からの出力信号あるいは前記二次元撮像素子からの撮像信号に基づいて、表示部に表示される前記断層画像の測定位置を示す走査ラインを含む前記被検眼眼底の第１の正面観察画像を表示する一方、
前記二次元撮像素子からの撮像信号に基づいて、前記二次元撮像素子からの撮像信号に基づく指標を含む前記被検眼眼底の第２の正面観察画像を表示し、
前記第１の正面観察画像と、前記第２の正面画像とを異なる表示領域に同時に表示することを特徴とする。
（３）  ＯＣＴ光源からの光を測定光路と参照光路に分割する光分割手段と、前記測定光路を介して被検眼眼底上に照射される測定光を走査する光走査手段と、前記測定光路からの前記測定光による眼底反射光と、前記参照光路からの光と、が合成された光を検出するための光検出器と、を備える干渉光学系と、
前記光走査手段を制御して前記測定光を走査し、前記光検出器からの出力信号に基づく前記被検眼眼底の断層画像と、前記被検眼眼底の正面観察画像である第１の正面画像を取得するＯＣＴ画像取得手段と、
被検眼眼底上を照明光により照明するための眼底照明光学系と、
前記照明光により照明された被検眼眼底の正面画像を受光素子によって撮影するための眼底撮影光学系と、
表示部の表示を制御する表示制御手段であって、前記第ＯＣＴ画像取得手段によって取得された第１の正面画像と、前記受光素子からの受光信号に基づく前記被検眼眼底の正面観察画像である第２の正面画像と、を異なる表示領域に同時に表示することを特徴とする表示制御手段と、
を備えることを特徴とする。